(57)【特許請求の範囲】
【請求項１】
荷が載置される載置面と、前記載置面から立設された複数の桁部とを備え、隣り合う桁部の間にフォーク挿入孔が開口するパレットにおいて、
前記載置面には、前記隣り合う桁部の間において一方の桁部側から他方の桁部側へと延びるようにリブが形成されているとともに、前記載置面の端縁から対向する端縁へと延びるように補強リブが形成されており、
前記載置面、前記桁部、前記リブ、及び前記補強リブは、樹脂材料により一体成形されており、
前記隣り合う桁部の各外側面のうち、互いに向かい合う外側面と前記リブの先端縁によってフォーク挿入孔が区画され、
前記フォーク挿入孔の内面の一部には、前記載置面、前記桁部、前記リブ、及び前記補強リブと異なる色が設けられることにより前記フォーク挿入孔の輪郭が視認し易くされており、
前記リブは、前記桁部の各外側面のうちパレットの外部側の外側面と略同一平面上に位置する第１リブと、前記第１リブよりパレットの内部側に位置するとともに前記補強リブに交差するように形成された第２リブを備え、
前記第２リブの立設長は、前記第１リブの立設長よりも長くなっているとともに、前記補強リブの立設長と同一になっており、
前記第２リブのみには、前記パレットの外部側となる面を覆うように、前記載置面、前記桁部、前記リブ、及び前記補強リブより明るい色で帯状に形成された内側付加部が、前記パレットの外部側から前記フォーク挿入孔の開口を介して視認可能に付加されており、
前記第１リブのみには、前記パレットの外部側となる面を覆うように、前記載置面、前記桁部、前記リブ、及び前記補強リブより明るい色で帯状に形成された外側付加部が、前記パレットの外部側から視認可能に付加されていることを特徴とするパレット。
【請求項２】
荷が載置される載置面と、前記載置面から立設された複数の桁部とを備え、隣り合う桁部の間にフォーク挿入孔が開口するパレットにおいて、
前記載置面には、前記隣り合う桁部の間において一方の桁部側から他方の桁部側へと延びるようにリブが形成されているとともに、前記載置面の端縁から対向する端縁へと延びるように補強リブが形成されており、
前記載置面、前記桁部、前記リブ、及び前記補強リブは、樹脂材料により一体成形されており、
前記隣り合う桁部の各外側面のうち、互いに向かい合う外側面と前記リブの先端縁によってフォーク挿入孔が区画され、
前記フォーク挿入孔の内面の一部には、前記載置面、前記桁部、前記リブ、及び前記補強リブと異なる色が設けられることにより前記フォーク挿入孔の輪郭が視認し易くされており、
前記リブは、前記桁部の各外側面のうちパレットの外部側の外側面と略同一平面上に位置する第１リブと、前記第１リブよりパレットの内部側に位置するとともに前記補強リブに交差するように形成された第２リブを備え、
前記第２リブの立設長は、前記第１リブの立設長よりも長くなっているとともに、前記補強リブの立設長と同一になっており、
前記第２リブは、前記載置面側から先端縁へ行くほどその厚みが薄くなるように形成されて、該第２リブにおける内側面は前記載置面と垂直となる面に対して傾斜しており、
前記第２リブのみには、前記パレットの外部側となる面を覆うように、前記載置面、前記桁部、前記リブ、及び前記補強リブより明るい色で、前記第２リブとは別体に形成された樹脂製で帯状の内側付加部が、前記パレットの外部側から前記フォーク挿入孔の開口を介して視認可能に付加されており、
前記内側付加部の先端縁の位置は前記第２リブの先端縁の位置と同一であるとともに、前記内側付加部の厚みは前記第２リブの厚みより薄く形成されており、
前記内側付加部における外側面は、前記載置面と垂直となる面に対して先端ほど内側となるように傾斜していることを特徴とするパレット。
【請求項３】
請求項１又は２に記載のパレットの製造方法であって、
前記リブを形成するキャビティ内で前記パレットの内部側から外部側へ樹脂が流れることにより前記リブにおける前記パレットの外部側の面に対して前記内側付加部をインサート成形で形成することを特徴とするパレットの製造方法。
【請求項４】
前記桁部の外側面のうちパレットの外部側に位置する外側面に対して、前記載置面とは異なる色の外側付加部をインサート成形で形成することを特徴とする請求項３に記載のパレットの製造方法。
【発明の詳細な説明】
【技術分野】
【０００１】
本発明は、パレット及びパレットの製造方法に関する。
【背景技術】
【０００２】
フォークリフトを用いた荷の運搬作業時に用いられるパレットにおいて、フォーク挿入孔の位置をわかりやすくしたものが提案されている。例えば、特許文献１のパレットは、上面及び下面がそれぞれ正方形板状の載置面で構成されていて、これら上下の載置面は側壁によって連結されている。４面の側壁それぞれには、２箇所のフォーク挿入孔が開口されている。また、各側壁は、載置面と同色の材料で一体形成されている。そして、各側壁においてパレットの外部側の面には、載置面とは異なる色に着色された付加層が設けられている。このように、付加層を、載置面とは異なる色に着色することで、フォーク挿入孔が開口している部分とその周辺部を構成する付加層とのコントラストが明確になり、フォーク挿入孔の開口位置が視認しやすくなる。
【先行技術文献】
【特許文献】
【０００３】
【特許文献１】特開２００６−２８２２７７号公報
【発明の概要】
【発明が解決しようとする課題】
【０００４】
パレットの使用に際し、パレットの側壁に設けられた付加層は、パレットの外部側に露出しているため、フォークリフトのフォーク等のような他の物体が衝突しやすい部分である。そして、側壁に設けられた付加層に他の物体が衝突すると、その付加層が破損して一部が剥がれ落ちたり、付加層に汚れが付着したりすることがある。そして、これらのように側壁に設けられた付加層に破損や汚れが生じると、フォーク挿入孔の開口位置の視認性が低下するおそれがある。したがって、特許文献１のパレットは、フォーク挿入孔の開口位置の視認性という点で、さらなる改良の余地がある。
【０００５】
本発明は、このような従来技術に鑑みてなされたものであり、その目的は、パレットにおいてフォーク挿入孔の開口位置の視認性をより適切に向上させることである。
【課題を解決するための手段】
【０００６】
本発明のパレットは、荷が載置される載置面と、前記載置面から立設された複数の桁部とを備え、隣り合う桁部の間にフォーク挿入孔が開口するパレットにおいて、前記載置面には、前記隣り合う桁部の間において一方の桁部側から他方の桁部側へと延びるようにリブが形成され、前記隣り合う桁部の各外側面のうち、互いに向かい合う外側面と前記リブの先端縁によってフォーク挿入孔が区画され、前記隣り合う桁部の各外側面のうちパレットの外部側に位置する外側面よりもパレットの内部側に位置する前記リブには、前記パレットの外部側の面に、前記載置面とは異なる色の内側付加部が設けられている。
【０００７】
この発明によれば、先ず、リブにおけるパレットの外部側の面に設けられた内側付加部が載置面とは異なる色に着色されているため、パレットのフォーク挿入孔の開口位置を視認しやすい。そして、桁部の各外側面のうちパレットの外部側に位置する外側面に比較して、内側付加部には、フォークリフトのフォーク等の他の物体が衝突しにくい。そのため、内側付加部に破損や汚れが生じにくく、内側付加部に破損や汚れが生じることに伴ってフォーク挿入孔の開口位置の視認性が低下することが抑制され、内側付加部による視認性向上効果を長期間に亘って維持できる。したがって、パレットにおいて、フォーク挿入孔の開口位置の視認性を、より適切に向上させることができる。
【０００８】
なお、上記のパレットを製造するにあたっては、前記リブにおける前記パレットの外部側の面に対して前記内側付加部をインサート成形で形成してもよい。また、前記桁部の外側面のうちパレットの外部側に位置する外側面に対して、前記載置面とは異なる色の外側付加部をインサート成形で形成してもよい。
【発明の効果】
【０００９】
本発明によれば、パレットにおいて、フォーク挿入孔の開口位置の視認性が、より適切に向上する。
【図面の簡単な説明】
【００１０】
【図１】パレットの側面図。
【図２】パレット半割体の表面及び裏面の平面図。
【図３】パレット半割体の裏面における一部拡大図。
【図４】図３におけるα−α線断面図。
【図５】図３におけるβ−β線断面図。
【図６】（ａ）は板状部材の平面図、（ｂ）は外面部材の平面図。
【図７】（ａ）及び（ｂ）は、インサート成形を説明する説明図。
【発明を実施するための形態】
【００１１】
以下、本発明を具体化したパレット１の実施形態を図１〜図５に基づいて説明する。
図１に示すように、パレット１は、２つのパレット半割体１０の裏面側同士を溶着することにより形成されている。
【００１２】
図２に示すように、パレット半割体１０には、荷を載置するための載置面としての載置壁１１が形成されている。載置壁１１は正方形板状に形成されていて、表面の所定位置には、荷の滑りを抑制するための複数の滑り止め材１１ａが取付けられている。
【００１３】
図２及び図３に示すように、載置壁１１の裏面における四隅部それぞれには、略四角筒状の隅部桁２０が載置壁１１に対して垂直に立設されている。隅部桁２０は、４つの外側面のうちの２つの外側面が載置壁１１の端縁に沿うように配置されている。したがって、隅部桁２０の４つの外側面のうちの２つの外側面はパレット半割体１０の外部側に位置する外部側外側面２０ａとして構成され、他の２つの外側面はパレット半割体１０の内部側に位置する内部側外側面２０ｂとして構成されている。載置壁１１の裏面には、隅部桁２０の向かい合う内側面同士を繋ぐように桁内リブ２１が立設されている。
【００１４】
図２及び図３に示すように、載置壁１１の裏面において２つの隅部桁２０の中間位置には、略四角筒状の中間桁３０が載置壁１１に対して垂直に立設されている。中間桁３０の立設長（高さ）は、各隅部桁２０の立設長と同一になっている。中間桁３０は、４つの外側面のうちの１つの外側面が載置壁１１の端縁に沿うように配置されている。したがって、中間桁３０の４つの外側面のうちの１つの外側面はパレット半割体１０の外部側に位置する外部側外側面３０ａとして構成され、他の３つの外側面は、パレット半割体１０の内部側に位置する内部側外側面３０ｂとして構成されている。載置壁１１の裏面には、中間桁３０の向かい合う内側面同士を繋ぐように桁内リブ３１が立設されている。これら中間桁３０及び桁内リブ３１は、載置壁１１の４つの端縁（辺）毎、合計４箇所に形成されている。
【００１５】
図２に示すように、載置壁１１の裏面において載置壁１１の中央位置には、略四角筒状の中央桁４０が立設されている。中央桁４０の立設長は、各隅部桁２０及び各中間桁３０の立設長と同一になっている。載置壁１１の裏面には、中央桁４０の向かい合う内側面同士を繋ぐように桁内リブ４１が形成されている。
【００１６】
図２に示すように、載置壁１１の裏面には、載置壁１１の端縁から対向する端縁にまで至る複数の補強リブ１５が立設されている。図４に示すように、各補強リブ１５は、載置壁１１の端縁からパレット半割体１０の内部側に向かうに連れて徐々に立設長が長くなる傾斜部１５ａと、その傾斜部１５ａから連続して一定の立設長のまま延びる直線部１５ｂとで構成されている。補強リブ１５の直線部１５ｂの立設長は、隅部桁２０、中間桁３０、中央桁４０の立設長よりも短く形成されている。例えば、補強リブ１５の直線部１５ｂの立設長は、隅部桁２０等の立設長の２分の１よりも短くなっている。
【００１７】
図２及び図３に示すように、載置壁１１の裏面には、隅部桁２０とその隅部桁２０に隣接する中間桁３０とを繋ぐように、第１リブ５１が立設されている。第１リブ５１は、載置壁１１に対して垂直に立設されているとともに、載置壁１１の端縁に沿って延設されている。また、第１リブ５１においてパレット半割体１０の外部側の面は、隅部桁２０の外部側外側面２０ａ、中間桁３０における外部側外側面３０ａと略同一平面上に位置する。図４に示すように、第１リブ５１は、補強リブ１５におけるパレット半割体１０の外部側の端縁と交差するように形成され、第１リブ５１の立設長は、その交差部分における補強リブ１５（傾斜部１５ａ）の立設長と同一になっている。第１リブ５１は、８箇所の隅部桁２０と中間桁３０との間の部分それぞれに形成されている。
【００１８】
図２及び図３に示すように、載置壁１１の裏面には、隅部桁２０とその隅部桁２０に隣接する中間桁３０とを繋ぐように、複数（この実施形態では４つ）の第２リブ６１が立設されている。各第２リブ６１は、第１リブ５１よりもパレット半割体１０の内部側に位置し、載置壁１１に対して垂直に立設されている。各第２リブ６１は、互いに平行となるように配置されている。図４に示すように、各第２リブ６１は、補強リブ１５の直線部１５ｂと交差するように形成され、各第２リブ６１の立設長は、補強リブ１５における直線部１５ｂの立設長と同一になっている。したがって、各第２リブ６１の立設長は、第１リブ５１の立設長よりも長くなっている。複数（４つ）の第２リブ６１は、８箇所の隅部桁２０と中間桁３０との間の部分それぞれに形成されている。
【００１９】
上記のパレット半割体１０において、載置壁１１、補強リブ１５、隅部桁２０、中間桁３０、中央桁４０、及び桁内リブ２１、３１、４１、第１リブ５１、第２リブ６１は、灰色や黒色等の暗色に着色された再生樹脂により一体的に形成されている。
【００２０】
図３に示すように、パレット半割体１０の隅部桁２０と中間桁３０との間において、最もパレット半割体１０の外部側に位置する第２リブ６１の外部側の面には、内側付加部としての板状部材６５が設けられている。板状部材６５は、載置壁１１とは異なる明色（例えば、赤、青、黄など）に着色された樹脂材料で形成されている。特に、この実施形態では、再生樹脂を含まない樹脂、いわゆるバージン樹脂で形成されている。
【００２１】
図６（ａ）に示すように、板状部材６５は帯状に形成されていて、その幅方向の寸法及び長手方向の寸法は、第２リブ６１の立設長及び延設長とほぼ同一に形成されている。図３及び図４に示すように、第２リブ６１においてパレット半割体１０の外部側の面全体が板状部材６５で覆われている。８箇所の隅部桁２０と中間桁３０との間の部分それぞれにおいて、最も外部側の第２リブ６１の外部側の面に板状部材６５が設けられている。
【００２２】
図１及び図３に示すように、パレット半割体１０の各側面には、外側付加部としての外面部材７０が設けられている。外面部材７０は、パレット半割体１０とは異なる色（例えば、赤、青、黄など）に着色された樹脂材料で形成されている。特に、この実施形態では、板状部材６５と同一の色に着色されたバージン樹脂で形成されている。
【００２３】
図６（ｂ）に示すように、外面部材７０は、樹脂製の板材を所定形状に加工することにより形成されている。外面部材７０の長手方向両端部には、四角形状の第１桁被覆部７１が形成されている。外面部材７０の幅方向（図６（ｂ）において上下方向）及び長手方向（図６（ｂ）において左右方向）における第１桁被覆部７１の寸法は、隅部桁２０の外部側外側面２０ａの縦横の寸法とほぼ同一に形成されている。各第１桁被覆部７１の長手方向（図６（ｂ）において左右方向）中央側の端縁からは、それぞれリブ被覆部７２が延設されている。リブ被覆部７２は帯状に形成されていて、その幅方向の寸法及び長手方向の寸法は、第１リブ５１の立設長及び延設長とほぼ同一に形成されている。各第１桁被覆部７１の長手方向中央側の端縁からは、第２桁被覆部７３が延設されている。各第２桁被覆部７３は、長手方向中央側に向かうに連れて幅方向（図６（ｂ）において上下方向）の寸法が短くなるように形成されている。その結果として、リブ被覆部７２と第２桁被覆部７３との間には、切込部７０ａが形成されている。また、第２桁被覆部７３の長手方向の長さは、隅部桁２０の内部側外側面２０ｂの横寸法よりも短く形成されている。
【００２４】
図６（ｂ）に示すように、２つのリブ被覆部７２の間には、四角形状の第３桁被覆部７４が形成されている。外面部材７０の幅方向及び長手方向における第３桁被覆部７４の寸法は中間桁３０の外部側外側面３０ａの縦横の寸法とほぼ同一に形成されている。第３桁被覆部７４の長手方向両側の各端縁からは、それぞれ第４桁被覆部７５が延設されている。第４桁被覆部７５は、長手方向外側に向かうに連れて幅方向の寸法が短くなるように形成されている。その結果として、リブ被覆部７２と第４桁被覆部７５との間には、切込部７０ｂが形成されている。また、各第４桁被覆部７５の長手方向の長さは、中間桁３０の内部側外側面３０ｂの横寸法よりも短く形成されている。
【００２５】
図３に示すように、パレット半割体１０における隅部桁２０の外部側外側面２０ａのほぼ全域は、外面部材７０の第１桁被覆部７１で覆われている。また、隅部桁２０の内部側外側面２０ｂの一部は、外面部材７０の第２桁被覆部７３で覆われている。図３及び図５に示すように、中間桁３０の外部側外側面３０ａのほぼ全域は、外面部材７０の第３桁被覆部７４で覆われている。図３に示すように、中間桁３０の内部側外側面３０ｂのうち隅部桁２０の内部側外側面２０ｂに向かい合う内部側外側面３０ｂは、その一部が外面部材７０の第４桁被覆部７５で覆われている。また、図３及び図４に示すように、パレット半割体１０の第１リブ５１においてパレット半割体１０の外部側の面は、ほぼ全域が外面部材７０のリブ被覆部７２で覆われている。
【００２６】
図１に示すように、パレット１は、上記のように構成された２つのパレット半割体１０を、各隅部桁２０の先端部、各中間桁３０の先端部、中央桁４０の先端部を、互いに溶着することにより形成されている。そして、パレット１には、各パレット半割体１０において隣り合う隅部桁２０と中間桁３０との間に、フォーク挿入孔Ｆが開口している。また、各パレット半割体１０における隅部桁２０の内部側外側面２０ｂと、その内部側外側面２０ｂに向かい合う中間桁３０の内部側外側面３０ｂと、各第２リブ６１の先端縁と、補強リブ１５の先端縁とによって、フォーク挿入孔Ｆが区画されている。
【００２７】
上記のように構成されたパレット半割体１０をインサート成形で製造する方法について説明する。
図７（ａ）に示すように、金型１００のキャビティＣのうち、パレット半割体１０の側面に対応する位置に外面部材７０を配置する。このとき、外面部材７０の第１桁被覆部７１と第２桁被覆部７３との境界部分で折り曲げることにより、外面部材７０の第１桁被覆部７１及び第２桁被覆部７３を、キャビティＣ内の隅部桁２０の外部側外側面２０ａ及び内部側外側面２０ｂに対応する位置に配置する。同様に、外面部材７０の第３桁被覆部７４と第４桁被覆部７５との境界部分で折り曲げることにより、外面部材７０の第３桁被覆部７４及び第４桁被覆部７５を、キャビティＣのうちの中間桁３０の外部側外側面３０ａ及び内部側外側面３０ｂに対応する位置に配置する。また、キャビティＣのうちパレット半割体１０の第２リブ６１に対応する位置に、板状部材６５を配置する。
【００２８】
なお、板状部材６５及び外面部材７０は、パレット半割体１０の外部側に露出するものである。したがって、金型１００のキャビティＣ内に、板状部材６５及び外面部材７０を配置するにあたっては、金型１００の内面のうちパレット半割体１０の外部側に相当する面（図７（ａ）において右側の面）に密着していることが好ましい。
【００２９】
その後、金型１００を型締めして、金型１００のキャビティＣ内に溶融した樹脂Ｐを注入する。このとき、キャビティＣ内に配置された板状部材６５及び外面部材７０に対して、パレット半割体１０の内部側から樹脂Ｐが流れるように、樹脂の注入口が金型１００に形成されている。したがって、キャビティＣ内において樹脂が板状部材６５及び外面部材７０に至ると、内部側から外部側へと向かう樹脂Ｐの流れにより、板状部材６５及び外面部材７０に対して外部側へ押し出すような力が作用する。そのため、図７（ａ）に示すように、キャビティＣ内において板状部材６５及び外面部材７０と、金型１００の内面のうちパレット半割体１０の外部側に対応する面との間に多少の隙間が生じていても、図７（ｂ）に示すように、板状部材６５及び外面部材７０が金型１００の内面に密着する。その結果、パレット半割体１０を金型１００から取り出した状態において、板状部材６５及び外面部材７０は、パレット半割体１０の外部側に露出した状態となる。
【００３０】
本実施形態のパレット１（パレット半割体１０）の効果をその作用とともに記載する。
（１）上記実施形態において、板状部材６５が設けられている第２リブ６１は、外面部材７０が設けられている隅部桁２０の外部側外側面２０ａ及び中間桁３０の外部側外側面３０ａよりも、パレット半割体１０の内部側に位置している。したがって、これら外部側外側面２０ａ、３０ａに比較して、フォークリフトのフォーク等の他の物体が板状部材６５に衝突しにくく、板状部材６５に破損や汚れが生じにくい。その結果、板状部材６５に破損や汚れが生じることに伴ってフォーク挿入孔Ｆの開口位置の視認性が低下することが抑制され、板状部材６５によるフォーク挿入孔Ｆの視認性向上効果を長期間に亘って維持できる。すなわち、第２リブ６１に設けられた板状部材６５によって、より適切にフォーク挿入孔Ｆの開口位置の視認性を向上できる。
【００３１】
（２）上記実施形態において、板状部材６５が設けられている第２リブ６１は、フォーク挿入孔Ｆを区画するものであり、フォーク挿入孔Ｆの内部に位置している。このような第２リブ６１に、明色に着色された板状部材６５を設けてフォーク挿入孔Ｆの内面の一部を明色に着色することにより、フォーク挿入孔Ｆの輪郭（内側縁）がわかりやすくなる。このようにフォーク挿入孔Ｆの輪郭をわかりやすくなることで、例えば、隅部桁２０の外部側外側面２０ａのようにフォーク挿入孔Ｆの外側を明色に着色するのに比較して、フォーク挿入孔Ｆの開口位置をより直感的に把握しやすくなる。その結果、フォークリフトのフォークの爪等がパレット半割体１０の側面等に衝突することを抑制できる。
【００３２】
（３）上記実施形態では、第２リブ６１の立設長は、その第２リブ６１よりもパレット半割体１０の外部側に位置する第１リブ５１の立設長よりも長くなっている。したがって、第１リブ５１が障害となって第２リブ６１に設けられた板状部材６５が視認しにくくなることが抑制できる。
【００３３】
（４）上記実施形態では、補強リブ１５におけるパレット１の外部側に、傾斜部１５ａが形成されている。また、第２リブ６１及びこれに設けられた板状部材６５は、補強リブ１５における直線部１５ｂよりも、フォーク挿入孔Ｆの開口中央側に突出していない。したがって、フォークリフトのフォークの爪等が補強リブ１５の傾斜部１５ａに衝突したとしても、そのフォーク等は補強リブ１５の傾斜部１５ａに沿ってフォーク挿入孔Ｆの開口中央側に案内され、第２リブ６１に設けられた板状部材６５には衝突しにくい。その結果、板状部材６５に破損や汚れが生じることに伴って、フォーク挿入孔Ｆの開口位置の視認性が低下することは抑制できる。
【００３４】
（５）上記実施形態では、明色に着色されたバージン樹脂で形成された板状部材６５及び外面部材７０でフォーク挿入孔Ｆの開口位置の視認性を向上させつつ、パレット半割体１０の他の大部分を、比較的に安価な再生樹脂で形成している。したがって、パレット半割体１０の製造コストを抑えつつも、フォーク挿入孔Ｆの開口位置の良好な視認性を確保できる。
【００３５】
（６）上記実施形態では、板状部材６５及び外面部材７０をインサート成形で設けている。したがって、板状部材６５及び外面部材７０を設けていない従来のパレットの金型等に大きな設計変更等を施すことなく、上記実施形態のパレット半割体１０を製造できる。具体的には、例えば、板状部材６５として相応に薄いものを用意すれば、既存の金型１００のまま変更を加えることなく第２リブ６１に板状部材６５を設けたパレット半割体１０を製造できる。また、この場合、パレット半割体１０そのものの形状にはほとんど変化がないため、耐久性等の性能にもほとんど変化は生じない。したがって、第２リブ６１に板状部材６５を設けることに伴って、新たな性能試験等を行わなくても、求められる性能が確保できている蓋然性が高い。
【００３６】
（７）上記実施形態では、２つのパレット半割体１０の裏面側同士を溶着してパレット１を形成しているため、フォーク挿入孔Ｆの内部において上側には上側のパレット半割体１０の板状部材６５が位置しており、フォーク挿入孔Ｆの内部において下側には下側のパレット半割体１０の板状部材６５が位置している。したがって、例えば多数のパレット１を積み上げた場合に、ユーザの視点よりも上側に位置するパレット１については上側のパレット半割体１０の板状部材６５が視認しやすく、ユーザの視点よりも下側に位置するパレット１については下側のパレット半割体１０の板状部材６５が視認しやすい。すなわち、パレット１とユーザの視点との位置関係に拘わらず、フォーク挿入孔Ｆの開口位置の視認性が確保できる。
【００３７】
なお、上記実施形態は以下のように変更してもよく、また、以下の変更例を組み合わせて適用してもよい。
・  上記実施形態では、２つのパレット半割体１０の裏面側同士を溶着することによりパレット１を形成したが、１つのパレット半割体１０単独でも、パレットとして機能できる。この場合、パレットの載置面（載置壁１１）は、片面側にのみに形成されることになる。
【００３８】
・  上記実施形態において、各種のリブ等によって隅部桁２０、中間桁３０、中央桁４０が互いに連結しているのであれば、載置壁１１は省略できる。すなわち、パレット半割体１０は、載置面がメッシュ状になっているメッシュタイプのものでもよい。この場合、各桁部の端面、各リブの端面がパレットの載置面を構成する。また、この場合でも、各桁部及びリブは、載置面から立設されていると言える。
【００３９】
・  上記実施形態において、中央桁４０を省略してもよいし、中間桁３０の一部又は全部を省略してもよい。なお、中間桁３０を省略した場合、隅部桁２０と隅部桁２０とが隣り合い、これら２つの隅部桁２０の間にフォーク挿入孔Ｆが開口することになる。また、パレット１は、パレット半割体１０の対向する一対の側面にのみフォーク挿入孔Ｆが開口している２方差しのパレットであってもよい。すなわち、従来公知なパレットであれば、どのようなパレットであっても、上記実施形態における板状部材６５に関する技術を適用可能である。
【００４０】
・  上記実施形態において、補強リブ１５、桁内リブ２１、３１、４１、第１リブ５１、第２リブ６１の数を増減してもよい。また、補強リブ１５、桁内リブ２１、３１、４１、第１リブ５１を省略してもよい。さらに、これらに加えて、他のリブを追加してもよい。すなわち、載置壁１１の裏面に立設される各種のリブは、パレット１（パレット半割体１０）に求められる強度等を勘案して適宜に形成すればよい。
【００４１】
・  上記実施形態において、第２リブ６１の基端側の厚みを厚くし、先端側ほど厚みが小さくなる断面視台形状に形成することで、第２リブ６１のパレット半割体１０の外部側の面を傾斜させることができる。このようにすることで、第２リブ６１の外部側の面に設けられる板状部材６５も傾斜した状態で設けられることになる。板状部材６５が設けられる第２リブ６１の位置とフォーク挿入孔Ｆの開口位置の関係等を鑑みて、上記傾斜の程度を調整すれば、より板状部材６５を視認しやすくすることもできる。
【００４２】
・  板状部材６５及び外面部材７０の色彩は適宜変更できる。例えば、板状部材６５及び外面部材７０は同じ色であるのに限らず、異なる色であってもよい。さらに、板状部材６５及び外面部材７０の外面は単色で着色されているのに限らず、模様、文字等が印刷されていてもよい。
【００４３】
・  載置壁１１の色と板状部材６５及び外面部材７０の色とは、互いに異なっていれば変更可能である。例えば、載置壁１１を明色のバージン樹脂で形成し、板状部材６５及び外面部材７０を暗色の再生樹脂で形成してもよい。
【００４４】
・  板状部材６５及び外面部材７０の材質は、インサート成形の際の溶融した樹脂Ｐの熱に耐えることができ、且つ、金型１００のキャビティＣ内に配置できるように薄く加工できるものであれば、板状部材６５及び外面部材７０の材質は問わない。例えば、板状部材６５及び外面部材７０の材質として、衝撃強度の高い材質を採用すれば、フォークリフトのフォークが衝突した際の破損を抑制できる。また、板状部材６５及び外面部材７０の材質として、弾力性のある材料を採用すれば、例えばユーザの体の一部が衝突した際にユーザが感じる痛みを低減できる。さらに、板状部材６５及び外面部材７０の材質として、炭素繊維等の繊維を含む材料を採用すれば、万が一、板状部材６５及び外面部材７０に割れ等が発生しても、その破片が散乱することが抑制できる。他にも板状部材６５及び外面部材７０の材質として、例えば、紙、木材、布、金属、これらの複合材料などが採用できる。なお、板状部材６５及び外面部材７０の材質として、載置壁１１等と同種の材料を用いれば、廃棄やリサイクルの際に分別等が容易になる。このような板状部材６５及び外面部材７０の材料としては、例えば、ポリプロピレンやポリエチレン等の合成樹脂材料が挙げられる。
【００４５】
・  パレット半割体１０をインサート成形で成形する場合の樹脂の注入口の位置は適宜変更できる。パレット半割体１０の中心部に樹脂の注入口を形成したり、板状部材６５が配置される位置よりも中心側に樹脂の注入口を形成したりすれば、上記実施形態のように、板状部材６５を、確実に第２リブ６１の外部側の面に露出させることができる。
【００４６】
・  板状部材６５をインサート成形で設けるのに代えて、他の方法で設けてもよい。例えば、また、例えば、パレット半割体１０の載置壁１１、各桁部、各リブを成形した後に、第２リブ６１におけるパレット半割体１０の外部側の面に、接着剤等を介して板状部材６５を溶着してもよいし、粘着テープを板状部材として第２リブ６１に貼り付けてもよい。なお、この場合は、インサート成形で板状部材６５を設ける場合のように、溶融した樹脂によって板状部材６５が加熱されるわけではないので、板状部材６５として熱に弱いもの（例えば、熱可塑性合成樹脂製の薄膜フィルム）であっても採用できる。この点、外面部材７０についても同様である。
【００４７】
・  プレス成形や射出成形でパレット半割体１０を成形する場合であっても、可動金型と固定金型を鉛直方向に設置することで、板状部材６５を金型のキャビティ内に配置して板状部材６５が設けられたパレット半割体１０を得られる。この場合、板状部材６５をエアー等で吸引するなどして金型の内面に密着させることが好ましい。また、エアー等で吸引するなどして板状部材６５を金型のキャビティ内に留め置くことができるのであれば、可動金型と固定金型を水平方向に設置することも可能である。
【００４８】
・  パレット半割体１０の第２リブ６１に対し、板状部材６５に代えて他の構成を内側付加部として設けてもよい。例えば、第２リブ６１においてパレット半割体１０の外部側の面に、印刷等を施してもよいし、スプレー等の塗料を塗布（印刷）してもよい。この場合、インクの層や塗料の層が内側付加部を構成する。この点、外面部材７０についても同様である。
【００４９】
・  板状部材６５は、複数（４つ）の第２リブ６１のうち、少なくともいずれかに設けられていればよい。例えば、全ての第２リブ６１に板状部材６５を設けてもよいし、複数の第２リブ６１のうち最もパレット半割体１０の内部側に位置する第２リブ６１に、板状部材６５を設けてもよい。
【００５０】
・  板状部材６５及び外面部材７０に加え、他の付加部を追加してもよい。例えば、補強リブ１５の外面に付加部を設けてもよい。なお、この場合の付加部は、板状部材６５や外面部材７０と同様に樹脂製の板材で構成されていてもよいし、インクの層や塗料の層で構成されていてもよい。
【００５１】
・  上記実施形態では、複数の第２リブ６１が補強リブ１５の直線部１５ｂに交差していたが、いずれかの第２リブ６１が補強リブ１５の傾斜部１５ａに交差していてもよい。
・  第２リブ６１の立設長は適宜変更できる。例えば、第２リブ６１の立設長を、補強リブ１５の直線部１５ｂにおける立設長よりも短くしてもよい。ただし、フォークリフトのフォーク等が第２リブ６１に設けられた板状部材６５に衝突することを抑制するという観点からは、第２リブ６１の立設長は補強リブ１５の立設長以下であるとよい。また、第２リブ６１の立設長を、第１リブ５１の立設長以下に形成してもよい。
【００５２】
・  板状部材６５が設けられる第２リブ６１は、隅部桁２０と中間桁３０との間に位置しており、且つ、隅部桁２０側から中間桁３０側へと延設されていればよく、隅部桁２０と中間桁３０とを繋いでいなくともよい。例えば、第２リブ６１は、隅部桁２０及び中間桁３０のいずれか一方にのみ連結されていてもよいし、両方に連結されていなくてもよい。また、第２リブ６１の延設方向は、載置壁１１の端縁と平行でなくともよい。
【００５３】
・  板状部材６５の形状を変更することにより、当該板状部材６５によって覆われる部分を変更できる。例えば、板状部材６５の幅方向の寸法を短くすることにより、第２リブ６１におけるパレット半割体１０の外部側の面のうち、先端側の一部のみが覆われるようにしてもよい。また、板状部材６５の幅方向の寸法を、第２リブ６１の立設長よりも長くしてもよい。この場合、板状部材６５の一部は、載置壁１１の内部に位置することになる。そのため、金型１００のキャビティＣに溶融した樹脂Ｐを注入する際、板状部材６５が樹脂Ｐの流れの影響を受けやすくなり、板状部材６５を金型１００の内面に密着させやすくなる。
【００５４】
・  外面部材７０の形状を変更することにより、当該外面部材７０によって覆われる部分は適宜変更できる。例えば、第１桁被覆部７１の縦横の寸法を短くすることにより、パレット半割体１０における隅部桁２０の外部側外側面２０ａの一部が外面部材７０の第１桁被覆部７１に覆われるようにしてもよい。各被覆部７１〜７５のいずれかを省略してもよい。さらに、外面部材７０そのものを省略してもよい。上記実施形態では、外面部材７０を省略したとしても、板状部材６５の存在により、フォーク挿入孔Ｆの開口位置の視認性として十分な視認性が得られる。
【００５５】
・  ところで、特許文献１のパレットにおいては、パレットの側壁に付加層を形成するのに際して、いわゆるコアバック機構を採用している。このコアバック機構を採用する金型においては、金型の一部分が前進・後退可能に構成されている。そして、金型の一部分が前進している状態において金型のキャビティ内に樹脂を注入してパレットを成形する。その後、金型の一部分を後退させて、それに伴って新たに生じたキャビティ内に樹脂を注入することにより付加層が形成される。
【００５６】
上記のようなコアバック機構による成形方法においては、金型の構成が複雑化して金型が高価になる上に、金型の一部を前進・後退させるための動力機構も必要となる。そのため、金型及びそれに関連する構成の製作コストの上昇は避けられない。また、コアバック機構を有しない上下金型に比べて、性能を維持するために頻繁にメンテナンスを行わなければならず、メンテナンスコストも上昇する。さらに、金型の一部分が前進した状態での成形、及び金型の一部分が後退した状態での成形という二段階の成形工程を経る必要があるため、製造時間の短縮が難しい。そのため、パレットの製造コストという観点からは、特許文献１の技術は改善の余地がある。
【００５７】
この点、上記実施形態では、板状部材６５及び外面部材７０はインサート成形で設けられる。そのため、板状部材６５及び外面部材７０を設けないパレットと比較しても、金型の製造コストの上昇は最小限に抑えられるし、製造時間が長くなることも最小限に抑えられる。したがって、上記実施形態では、板状部材６５及び外面部材７０を設けつつも、パレットの製造コストの上昇を最小限に抑制できる。なお、パレットの製造コストの上昇を最小限に抑制するという観点で捉えれば、上記実施形態においてパレット半割体１０の板状部材６５は必須ではなく、少なくとも板状部材６５及び外面部材７０のいずれか一方がインサート成形で形成されていればよい。
【００５８】
上記実施形態及び変更例から把握できる技術的思想について記載する。
・  載置面には、載置面の端縁から延びて内側付加部が設けられたリブに交差する補強リブが立設され、内側付加部が設けられたリブの立設長は補強リブの立設長以下である。
【００５９】
・  荷が載置される載置面と、前記載置面から立設された複数の桁部とを備え、隣り合う桁部の間にフォーク挿入孔が開口するパレットの製造方法であって、前記隣り合う桁部の各外側面のうちパレットの外部側に位置する外側面、又は、当該外側面の同一平面上に位置する前記パレットの面に、インサート成形で前記載置面とは異なる色の付加部を形成する。
【符号の説明】
【００６０】
１…パレット、１０…パレット半割体、１１…載置壁、１５…補強リブ、２０…隅部桁、２０ａ…隅部桁の外部側外側面、３０…中間桁、３０ａ…中間桁の外部側外側面、５１…第１リブ、６１…第２リブ、６５…板状部材、７０…外面部材。
【図１】
0006666081.tif 000002
【図２】
0006666081.tif 000003
【図３】
0006666081.tif 000004
【図４】
0006666081.tif 000005
【図５】
0006666081.tif 000006
【図６】
0006666081.tif 000007
【図７】
0006666081.tif 000008